(57)【特許請求の範囲】
【請求項１】
チャネル選択を行うチューナ部と、該チューナ部により選局された放送情報とそれ以外のデータとの送受信を行う第１の送受信部と、を有するワイヤレスセンタと、
表示部と、前記チューナ部に対して選局処理を促すための入力操作を受け付ける選局入力部と、前記放送情報を受信するとともに前記第１の送受信部との間をワイヤレスでデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有するワイヤレスＡＶシステムであって、
前記ＡＶ出力装置は、さらに、前記チャネル特定情報を参照し、前記アップダウン入力操作を、前記チューナ部において直接選局を行わせるためのダイレクトコマンドに変換するコマンド変換部を有することを特徴とするワイヤレスＡＶシステム。
【請求項２】
前記第１チャネル特定情報は、前記アップダウン入力操作により選択されたチャネルに局が登録されているか否かを現在の選局チャネルを基準にして示す情報であることを特徴とする請求項１に記載のワイヤレスＡＶシステム。
【請求項３】
前記第１チャネル特定情報は、前記チューナ部において実行されたチャネルスキャンの結果に基づいて得られたスキップ情報であり、前記ワイヤレスセンタから前記ＡＶ出力装置へ送信されたものであることを特徴とする請求項２に記載のワイヤレスＡＶシステム。
【請求項４】
チャネル選択を行うチューナ部と、該チューナ部により選局された放送情報とそれ以外のデータとの送受信をワイヤレスで行う第１の送受信部と、を有するワイヤレスセンタであって、
該ワイヤレスセンタとは分離して設けられ前記チューナ部により選局された放送情報を表示する表示部を含むＡＶ出力装置からの前記チューナ部に対する選局処理を促す入力操作に応じて生成されチャネルを特定するためのチャネル特定情報を記憶する第２チャネル特定情報記憶部を有しており、
さらに、前記第２チャネル特定情報記憶部に記憶された前記チャネル特定情報を一括して前記ＡＶ出力装置に送る制御を行う第１制御部を有することを特徴とするワイヤレスセンタ。
【請求項５】
請求項４に記載のワイヤレスセンタを動作させる制御プログラムであって、コンピュータを上記のチューナ部、第１の送受信部の少なくともいずれか１つとして機能させるためのワイヤレスセンタの制御プログラム。
【請求項６】
請求項５に記載のワイヤレスセンタの制御プログラムを記録したコンピュータ読み取り可能な記録媒体。
【請求項７】
表示部と、該表示部とは分離されて設けられたワイヤレスセンタのチューナ部に対して選局処理を促すための入力操作を受け付ける選局入力部と、前記ワイヤレスセンタから送られる放送情報を受信するとともに前記ワイヤレスセンタとの間でワイヤレスでデータの送受信が可能な送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置であって、
前記入力操作においてチャネルのアップダウン入力操作を行った場合に、前記第１チャネル特定情報記憶部に記憶されているチャネル特定情報を参照して前記アップダウン入力操作により特定されたチャネルを直接選局するためのダイレクト選局コマンドを生成し前記ワイヤレスセンタに送る制御を行う第２制御部を有することを特徴とするＡＶ出力装置。
【請求項８】
請求項７に記載のＡＶ出力装置を動作させる制御プログラムであって、コンピュータを上記の選局入力部、送受信部の少なくともいずれか１つとして機能させるためのＡＶ出力装置の制御プログラム。
【請求項９】
請求項８に記載のＡＶ出力装置の制御プログラムを記録したコンピュータ読み取り可能な記録媒体。
【請求項１０】
チャネル選択を行うチューナ部を有するワイヤレスセンタと；
表示部と、前記チューナ部に対して選局処理を促すための入力操作を受け付ける選局入力部と、記憶部と、を有するＡＶ出力装置と；の間における選局方法であって、
前記入力操作に基づいて、前記チューナ部が選局を行うステップと、
前記チューナ部の選局結果に基づいて各チャネルに局が登録されているか否かに関するスキップ情報を含むチャネル特定情報を収集し、該チャネル特定情報を前記ＡＶ出力装置にワイヤレスで送るステップと、
送られた前記チャネル特定情報を前記記憶部に記憶し、前記選局入力部におけるアップダウン選局操作に応じて、前記記憶部に記憶されている前記チャネル特定情報を参照することにより特定されたチャネルを検索し、特定されたチャネルを選局するためのダイレクト選局コマンドを生成し前記ワイヤレスセンタ側にワイヤレスで送るステップと、を有することを特徴とする選局方法。
【請求項１１】
チャネル選択を行うチューナ部を有するワイヤレスセンタとワイヤレスにより通信可能に接続され、表示部と、前記チューナ部に対して選局処理を促すための入力操作を受け付ける選局入力部と、記憶部と、を有するＡＶ出力装置におけるチャネル選局方法であって、
前記入力操作に基づいて、前記チューナ部に選局を行わせるステップと、
前記チューナ部の選局結果に基づいて得られた各チャネルに局が登録されているか否かに関するスキップ情報を含むチャネル特定情報を取得して前記記憶部に記憶するステップと、
前記選局入力部におけるアップダウン選局操作に応じて、前記記憶部に記憶されている前記チャネル特定情報を参照して特定されるチャネルを検索し、特定された前記チャネルを選局するためのダイレクト選局コマンドを生成し前記ワイヤレスセンタ側にワイヤレスで送るステップと、を有することを特徴とする選局方法。
【請求項１２】
表示部と、選局処理を促すための入力操作を受け付ける選局入力部と、記憶部と、を有するＡＶ出力装置と無線により通信可能に接続され、選局処理を行うチューナ部を有するワイヤレスセンタにおける選局データ生成方法であって、
前記入力操作に基づいて、前記チューナ部に選局を行わせるステップと、
前記チューナ部の選局結果に基づいて各チャネルに局が登録されているか否かに関するスキップ情報を含むチャネル特定情報を収集し、該チャネル特定情報を一括して前記ＡＶ出力装置側にワイヤレスで送るステップを有することを特徴とする選局データ生成方法。
【請求項１３】
チャネル選択を行うチューナ部と、該チューナ部により選局された放送情報とそれ以外のデータとの送受信を行う第１の送受信部と、を有するチューナ装置と、
前記チューナ装置と分離可能に形成され、表示部と、前記チューナ部に対して選局処理を促すための入力操作を受け付ける選局入力部と、前記放送情報を受信するとともに前記第１の送受信部との間でデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有するＡＶシステムであって、
前記ＡＶ出力装置は、さらに、前記チャネル特定情報を参照し、前記アップダウン入力操作を、前記チューナ部において直接選局を行わせるためのダイレクトコマンドに変換するコマンド変換部を有することを特徴とするＡＶシステム。
【発明の詳細な説明】
【技術分野】
【０００１】
本発明は、ＡＶシステムに関し、特に、ＡＶ出力装置とワイヤレスセンターとが分離されワイヤレスで通信可能に接続されているワイヤレスＡＶシステム、ＡＶシステム、ワイヤレスセンタ、ＡＶ出力装置、選局方法、選局データ生成方法、制御プログラムおよびそれを記録したコンピュータ読み取り可能な記録媒体に関する。
【背景技術】
【０００２】
近年、映像及び音声の受信・再生システム（ＡＶシステム）において、映像を再生（表示）するためのモニタ部として薄型の液晶表示装置を用いたものが多く開発されている。液晶表示装置を用いると、大画面の表示も可能であるにもかかわらず、表示装置自体を軽量かつ薄型にすることができるという大きな利点がある。
【０００３】
例えば、テレビ受像器のチューナ部とモニタ部とを分離し、チューナ部からモニタ部に映像信号と音声信号とを伝送するシステムが開示されている。このシステムにおいては、分離したチューナ部にアンテナ線を接続して選局し、その選局した映像と音声信号をモニタ部にワイヤレス伝送して映像信号と音声信号を再生することができる（例えば特許文献１、２参照）。
【特許文献１】特開２００１−１６０９２７号公報（公開日：平成１３年６月１２日）
【特許文献２】特開２００１−３５８９６６号公報（公開日：平成１３年１２月２６日）
【発明の開示】
【発明が解決しようとする課題】
【０００４】
上記のシステムにおいては、ストリームを受信して表示させるとともに、モニタ側とチューナ側とでコマンドなどの情報の双方向のやり取りを行うことができる。このシステムでは、モニタ側でチャネルを選局するのが一般的である。チャネルをアップダウン選局する場合には、ユーザはモニタに表示された映像等を鑑賞するため、モニタ側においてアップダウン選局キーを用いて入力することになる。モニタ側においてチャネルのアップダウン選局キーを入力すると、それに応じてモニタ側とチューナ側とをワイヤレスでやり取りするためのワイヤレスＡＶ伝送システムに基づくコマンドに変換され、ある一定のインターバルを経た後にチューナ側に送信し、チューナ側において上記コマンドをデコードし実際のアップダウン選局が行われるようになっている。そのため、ワイヤレスＡＶ伝送システムにおいては、コマンドのやり取りに関連する上記のインターバルに依存する遅延時間に起因して、ユーザの入力に対するレスポンスが良くない（スムーズにアップダウン選局ができない）という問題点があった。
【０００５】
従来のシステムによれば、例えば、選局後に確定したチャンネルNo.をモニタに表示するまでに、本願発明の説明図である図４に示すように、iso cycle３．６ｍｓ＊１６＝約６０ｍｓでＫＥＹコードをモニタ側→チューナ側、次のiso cycle ６０ｍｓでＫＥＹデコード結果がチューナ側→モニタ側に戻るだけの遅延時間が生じる。すなわち、チャネルアップ、ダウンをチューナ側でデコードする場合、ＫＥＹコードをモニタ部→チューナ部に送るインターバル６０ｍｓ、チューナ部でチャネルアップ、ダウンをデコードして選局チャネルNo.をチューナ部→モニタ部に送るインターバル６０ｍｓ、合計１２０ｍｓの遅延時間が生じ、アップダウン選局で確定したチャネルNo.をモニタに表示する時間が遅れる。この遅延時間が通信インターバルとなる。なお、この通信インターバルは、スマートリンク送信機が制御する。
【０００６】
本発明は、モニタ部と分離したチューナ部においてアンテナ線を接続して選局し、その選局した映像と音声信号をモニタ部にワイヤレス伝送して映像と音声信号を再生するシステムにおいて、上記レスポンスの問題を解消し、ユーザのアップダウン選局に関する入力操作に対応する良好な応答特性を有するワイヤレスＡＶシステム、ＡＶシステム、ワイヤレスセンタ、ＡＶ出力装置、選局方法、選局データ生成方法、制御プログラムおよびそれを記録したコンピュータ読み取り可能な記録媒体を提供することを目的とする。
【課題を解決するための手段】
【０００７】
上記課題を解決するために、本発明に係るワイヤレスＡＶシステムは、チャネル選択を行うチューナ部と、該チューナ部により選局された放送情報とそれ以外のデータとの送受信を行う第１の送受信部と、を有するワイヤレスセンタと、表示部と、前記チューナ部に対して選局処理を促すための入力操作を受け付ける選局入力部と、前記放送情報を受信するとともに前記第１の送受信部との間をワイヤレスでデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有することを特徴としている。
【０００８】
上記の構成によれば、ＡＶ出力装置でチャネルのアップダウン操作を行った場合に、第１チャネル特定情報記憶部に記憶されているチャネル特定情報を参照して、アップダウン入力操作により選択された選局チャネルを特定し、これをチューナ側に送ることができる。よって、従来のシステムの問題であったコマンドのやり取りに関連する遅延時間を低減することが可能となる。したがって、ユーザのアップダウン選局のための入力に対するレスポンスを改善できる。
【０００９】
さらに、本発明に係るワイヤレスＡＶシステムは、前記ＡＶ出力装置は、さらに、前記チャネル特定情報を参照し、前記アップダウン入力操作を前記チューナ部において直接選局を行わせるためのダイレクトコマンドに変換するコマンド変換部を有することを特徴としている。
【００１０】
上記の構成によれば、さらに、ＡＶ出力装置でチャネルのアップダウン操作を行った場合に、第１チャネル特定情報記憶部に記憶されているチャネル特定情報を参照して、アップダウン入力操作により特定された選局チャネルを選局するためのダイレクト選局コマンドに変換し、これをチューナ側に送ることができる。よって、コマンドのやり取りに関連する遅延を低減して、アップダウン選局のレスポンスを改善することが可能となる。
【００１１】
さらに、本発明に係るワイヤレスＡＶシステムは、前記第１チャネル特定情報は、前記アップダウン入力操作により選択されたチャネルに局が登録されているか否かを現在の選局チャネルを基準にして示す情報であることを特徴としている。
【００１２】
上記の構成によれば、さらに、入力操作のアップダウンの方向と現在の選局チャネルとの基づいて、選択されたチャネルに局が登録されているか否かを判別できる。また、そのためのデータ構造の単純である。
【００１３】
さらに、本発明に係るワイヤレスＡＶシステムは、前記第１チャネル特定情報は、前記チューナ部において実行されたチャネルスキャンの結果に基づいて得られたスキップ情報であり、前記ワイヤレスセンタから前記ＡＶ出力装置へ送信されたものであることを特徴としている。
【００１４】
上記の構成によれば、さらに、チューナ部において実行されたチャネルスキャンの結果に基づいて得られたスキップ情報を、ワイヤレスセンタからＡＶ出力装置へ送信し、第１チャネル特定情報として利用できる。よって、第１チャネル特定情報を別途用意する必要がないため、第１チャネル特定情報の作成や更新の作業を省略できる。
【００１５】
また、本発明に係るワイヤレスセンタは、チャネル選択を行うチューナ部と、該チューナ部により選局された放送情報とそれ以外のデータとの送受信をワイヤレスで行う第１の送受信部と、を有するワイヤレスセンタであって、該ワイヤレスセンタとは分離して設けられ前記チューナ部により選局された放送情報を表示する表示部を含むＡＶ出力装置からの前記チューナ部に対する選局処理を促す入力操作に応じて生成されチャネルを特定するためのチャネル特定情報を記憶する第２チャネル特定情報記憶部を有することを特徴としている。
【００１６】
上記の構成によれば、ワイヤレスセンタは、ＡＶ出力装置において生成され、ＡＶ出力装置から受信したチャネルを、第２チャネル特定情報記憶部に記憶したチャネル特定情報に基づいて特定できる。よって、ＡＶ出力装置でチャネルのアップダウン操作を行った場合に、アップダウン入力操作により選択された選局チャネルを特定して、これをチューナ側に送ることができる。よって、従来のシステムの問題であったコマンドのやり取りに関連する遅延時間を低減することが可能となる。したがって、ユーザのアップダウン選局のための入力に対するレスポンスを改善できる。
【００１７】
さらに、本発明に係るワイヤレスセンタは、前記第２チャネル特定情報記憶部に記憶された前記チャネル特定情報を一括して前記ＡＶ出力装置に送る制御を行う第１制御部を有することを特徴としている。
【００１８】
上記の構成によれば、さらに、例えば、チューナ部において実行されたチャネルスキャンの結果に基づいて得られたスキップ情報を、ワイヤレスセンタからＡＶ出力装置へ送信し、第１チャネル特定情報として利用する場合、チャネル特定情報を一括してＡＶ出力装置へ送信することによって、チャネル特定情報の作成や更新の作業が容易となる。
【００１９】
また、本発明に係るＡＶ出力装置は、表示部と、該表示部とは分離されて設けられたワイヤレスセンタのチューナ部に対して選局処理を促すための入力操作を受け付ける選局入力部と、前記ワイヤレスセンタから送られる放送情報を受信するとともに前記ワイヤレスセンタとの間でワイヤレスでデータの送受信が可能な送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有することを特徴としている。
【００２０】
上記の構成によれば、ＡＶ出力装置でチャネルのアップダウン操作を行った場合に、第１チャネル特定情報記憶部に記憶されているチャネル特定情報を参照して、アップダウン入力操作により選択された選局チャネルを特定し、これをチューナ側に送ることができる。よって、従来のシステムの問題であったコマンドのやり取りに関連する遅延時間を低減することが可能となる。したがって、ユーザのアップダウン選局のための入力に対するレスポンスを改善できる。
【００２１】
さらに、本発明に係るＡＶ出力装置は、前記入力操作においてチャネルのアップダウン入力操作を行った場合に、前記第１チャネル特定情報記憶部に記憶されているチャネル特定情報を参照して前記アップダウン入力操作により特定されたチャネルを直接選局するためのダイレクト選局コマンドを生成し前記ワイヤレスセンタに送る制御を行う第２制御部を有することを特徴としている。
【００２２】
上記の構成によれば、さらに、ＡＶ出力装置でチャネルのアップダウン操作を行った場合に、第１チャネル特定情報記憶部に記憶されているチャネル特定情報を参照して、アップダウン入力操作により特定された選局チャネルを選局するためのダイレクト選局コマンドに変換し、これをチューナ側に送ることができる。よって、コマンドのやり取りに関連する遅延を低減して、アップダウン選局のレスポンスを改善することが可能となる。
【００２３】
また、本発明に係る選局方法は、チャネル選択を行うチューナ部を有するワイヤレスセンタと；表示部と、前記チューナ部に対して選局処理を促すための入力操作を受け付ける選局入力部と、記憶部と、を有するＡＶ出力装置と；の間における選局方法であって、前記入力操作に基づいて、前記チューナ部が選局を行うステップと、前記チューナ部の選局結果に基づいて各チャネルに局が登録されているか否かに関するスキップ情報を含むチャネル特定情報を収集し、該チャネル特定情報を前記ＡＶ出力装置にワイヤレスで送るステップと、送られた前記チャネル特定情報を前記記憶部に記憶し、前記選局入力部におけるアップダウン選局操作に応じて、前記記憶部に記憶されている前記チャネル特定情報を参照することにより特定されたチャネルを検索し、特定されたチャネルを選局するためのダイレクト選局コマンドを生成し前記ワイヤレスセンタ側にワイヤレスで送るステップと、を有することを特徴としている。
【００２４】
上記の構成によれば、チューナ部において実行されたチャネルスキャンの結果に基づいて得られたスキップ情報を含むチャネル特定情報を、ワイヤレスセンタからＡＶ出力装置へ送信する。そして、ＡＶ出力装置でチャネルのアップダウン操作を行った場合に、記憶部に記憶されているチャネル特定情報を参照して、アップダウン入力操作により特定された選局チャネルを選局するためのダイレクト選局コマンドに変換し、これをチューナ側に送ることができる。よって、コマンドのやり取りに関連する遅延を低減して、アップダウン選局のレスポンスを改善することが可能となる。また、チューナ部で生成されるスキップ情報等を利用するため、チャネル特定情報の作成や更新の作業が容易となる。
【００２５】
また、本発明に係る選局方法は、チャネル選択を行うチューナ部を有するワイヤレスセンタとワイヤレスにより通信可能に接続され、表示部と、前記チューナ部に対して選局処理を促すための入力操作を受け付ける選局入力部と、記憶部と、を有するＡＶ出力装置におけるチャネル選局方法であって、前記入力操作に基づいて、前記チューナ部に選局を行わせるステップと、前記チューナ部の選局結果に基づいて得られた各チャネルに局が登録されているか否かに関するスキップ情報を含むチャネル特定情報を取得して前記記憶部に記憶するステップと、前記選局入力部におけるアップダウン選局操作に応じて、前記記憶部に記憶されている前記チャネル特定情報を参照して特定されるチャネルを検索し、特定された前記チャネルを選局するためのダイレクト選局コマンドを生成し前記ワイヤレスセンタ側にワイヤレスで送るステップと、を有することを特徴としている。
【００２６】
上記の構成によれば、チューナ部において実行されたチャネルスキャンの結果に基づいて得られたスキップ情報を含むチャネル特定情報を、ワイヤレスセンタからＡＶ出力装置へ送信する。そして、ＡＶ出力装置でチャネルのアップダウン操作を行った場合に、記憶部に記憶されているチャネル特定情報を参照して、アップダウン入力操作により特定された選局チャネルを選局するためのダイレクト選局コマンドに変換し、これをチューナ側に送ることができる。よって、コマンドのやり取りに関連する遅延を低減して、アップダウン選局のレスポンスを改善することが可能となる。また、チューナ部で生成されるスキップ情報等を利用するため、チャネル特定情報の作成や更新の作業が容易となる。
【００２７】
また、本発明に係る選局データ生成方法は、表示部と、選局処理を促すための入力操作を受け付ける選局入力部と、記憶部と、を有するＡＶ出力装置と無線により通信可能に接続され、選局処理を行うチューナ部を有するワイヤレスセンタにおける選局データ生成方法であって、前記入力操作に基づいて、前記チューナ部に選局を行わせるステップと、前記チューナ部の選局結果に基づいて各チャネルに局が登録されているか否かに関するスキップ情報を含むチャネル特定情報を収集し、該チャネル特定情報を一括して前記ＡＶ出力装置側にワイヤレスで送るステップを有することを特徴としている。
【００２８】
上記の構成によれば、ワイヤレスセンタにおいて、チューナ部の選局結果に基づいて各チャネルに局が登録されているか否かに関するスキップ情報を含むチャネル特定情報を収集する。そして、チャネル特定情報をワイヤレスセンタからＡＶ出力装置へ一括して送信し、チャネル特定情報として利用する。よって、ＡＶ出力装置で利用するチャネル特定情報を別途用意する必要がない。また、チューナ部の選局結果に基づいて各チャネルに局が登録されているか否かに関するスキップ情報を含むチャネル特定情報を収集するため、チャネル特定情報の作成のための作業が別途必要でない。
【００２９】
また、本発明に係るＡＶシステムは、チャネル選択を行うチューナ部と、該チューナ部により選局された放送情報とそれ以外のデータとの送受信を行う第１の送受信部と、を有するチューナ装置と、前記チューナ装置と分離可能に形成され、表示部と、前記チューナ部に対して選局処理を促すための入力操作を受け付ける選局入力部と、前記放送情報を受信するとともに前記第１の送受信部との間でデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有することを特徴としている。
【００３０】
上記の構成によれば、ＡＶ出力装置とチューナ装置とが分離可能に形成されたＡＶシステムにおいて、ＡＶ出力装置でチャネルのアップダウン操作を行った場合に、第１チャネル特定情報記憶部に記憶されているチャネル特定情報を参照して、アップダウン入力操作により選択された選局チャネルを特定し、これをチューナ側に送ることができる。よって、従来のシステムの問題であったコマンドのやり取りに関連する遅延時間を低減することが可能となる。したがって、ユーザのアップダウン選局のための入力に対するレスポンスを改善できる。
【００３１】
なお、上記ワイヤレスセンタは、コンピュータによって実現してもよく、この場合には、コンピュータを上記各部として動作させることにより上記ワイヤレスセンタをコンピュータにて実現させるワイヤレスセンタの制御プログラム、及びそれを記録したコンピュータ読み取り可能な記録媒体も、本発明の範疇に入る。
【００３２】
また、上記ＡＶ出力装置は、コンピュータによって実現してもよく、この場合には、コンピュータを上記各部として動作させることにより上記ＡＶ出力装置をコンピュータにて実現させるワイヤレスセンタの制御プログラム、及びそれを記録したコンピュータ読み取り可能な記録媒体も、本発明の範疇に入る。
【発明の効果】
【００３３】
以上のように、本発明に係るワイヤレスＡＶシステムは、チューナ部と、第１の送受信部と、を有するワイヤレスセンタと、表示部と、選局入力部と、第２の送受信部と、第１チャネル特定情報記憶部と、を有するＡＶ出力装置と、を有する構成である。
【００３４】
それゆえ、従来のシステムの問題であったコマンドのやり取りに関連する遅延時間を低減することが可能となる。したがって、ユーザのアップダウン選局のための入力に対するレスポンスを改善できるという効果を奏する。
【発明を実施するための最良の形態】
【００３５】
本発明に係るワイヤレスＡＶシステムは、モニタ（ＡＶ出力装置）とチューナとを備えたワイヤレスセンターとが互いに分離されている形態を有し、両者間の通信を行うシステムであり、特に、ワイヤレスでモニタ側とチューナ側とが通信を行うシステムである。かかるシステムにおいて、チャネル番号に対応する局が有るか否かに関連するスキップ情報を、モニタ側が記憶することを特徴とする。
【００３６】
スキップ情報は、例えば、チャネル設定のためのオートスキャンを行う旨をチューナ側に要求するためのリモコン入力をモニタ側において行った場合に、実際にチューナ側において得られた例えばチャネルのオートスキャンの結果に基づいて得られたスキップ情報を、上記要求に応答する形でモニタ側が受け取る。これをモニタ側に設けられた記憶部に記憶しておくことにより、ユーザがアップダウン選局を行った場合にも、選局されるチャネルを特定することができる。チューナ側に選局要求を行う場合には、モニタ側においてアップダウン選局に基づいて特定されたチャネルを、ダイレクトに選局できるコマンドであるダイレクト選局コマンドをチューナ側に送ることにより、アップダウン選局入力操作から実際に選局された番組をモニタ側で表示するまでの時間を短縮することができる。
【００３７】
以下、本発明の一実施の形態によるワイヤレスＡＶシステムについて、テレビ受信・再生システム１を例にして図面を参照しつつ説明を行う。図１は、本実施の形態によるテレビ受信・再生システム１の構成例を示す図である。図２は、本実施の形態によるテレビ受信・再生システム１におけるチューナ側装置であるワイヤレスセンタユニット３の構成例を示す機能ブロック図である。図３は、本実施の形態によるテレビ受信・再生システム１におけるモニタ側装置であるＴＶ本体ユニット５の構成例を示す機能ブロック図である。図４は、本実施の形態によるテレビ受信・再生システム１においてチューナ側とモニタ側との間でやりとりされるデータ構成例を示す図である。図５は、チャネル設定メニューを含むメニュー構成例を示す図である。図６は、リモートコントロール装置の構成例である。図７は、オートプリセットにより得られたスキップ情報の構成例である。図８は、本実施の形態によるテレビ受信・再生システム１におけるチューナ側とモニタ側との間の双方向通信のシーケンス例を示す図である。また、図９は、ディスプレイ分離型のワイヤレスＴＶ受信機であるテレビ受信・再生システム１の概略を示した説明図である。
【００３８】
図１および図９に示すように、本実施の形態によるテレビ受信・再生システム（ワイヤレスＡＶシステム）１は、チューナ側のワイヤレスセンタ３と、バッテリー内蔵の液晶モニタ付きＴＶ（ＴＶ本体）５とを含んで構成されている。
【００３９】
図９に示すように、ＴＶ本体５は、バッテリー内蔵でワイヤレスである。また、リモートコントローラを備えて、ビデオデッキなどのリモコン操作ができるようになっている。また、ワイヤレスセンタ３は、ＢＳやＵ／Ｖ等のアンテナやＤＶＤプレーヤやビデオデッキ等のＡＶ機器、ＣＡＴＶ用セットトップボックス等に接続されている。そして、ワイヤレスセンタ３からＴＶ本体５へ、映像及び／又は音声データがワイヤレス伝送されるようになっている。
【００４０】
さらに、図１に示すように、ワイヤレスセンタ３は、ビデオ１入力（Ｓ端子付き）端子７ａと、ビデオ２入力（デコーダ入力）端子７ｂと、ビデオ３入力（モニタ／ＢＳ出力兼用）端子７ｃと、ＡＣ電源端子１１ａ及び例えば車中でも選局可能なようにＣａｒ−ＤＣ端子１１ｂと、ＢＳアンテナ１５ａ、ＵＨＦ／ＶＨＦアンテナ１５ｂと、ダイバーシティーアンテナ１５ｃとを有している。一方、液晶モニタ付きＴＶ５は、ビデオ４入力（ＴＶ出力兼用）端子２１と、ＡＣ電源端子２３ａ及び例えば車中でも鑑賞可能なようにＣａｒ−ＤＣ端子２３ｂと、を有している。
【００４１】
ワイヤレスセンタ３と液晶モニタ付きＴＶ５とは、例えばＩＥＥＥ８０２.１１ｂ規格に基づく無線により通信可能に接続されている。ワイヤレスセンタ３から液晶モニタ付きＴＶ５に向けて、無線によりＭＰＥＧ２ストリーム情報が送られるとともに、その他のコマンド（制御コマンド）データなどが両者間で双方向通信により伝送される。
【００４２】
次に、チューナ側（ワイヤレスセンタ側）装置の構成例について図２を参照して説明する。図１において説明した構成要素については説明を省略する。図２に示すように、ワイヤレスセンタ３は、全体を制御するワイヤレスセンタマイコン４１と、第１ＡＶセレクタ４３と、スペクトラム拡散（ＳＳ）送受信ユニット４５と、を有している。ビデオ入力１から３まで（外部入力）７ａから７ｃは、ＡＶセレクタ４３により、ソース選択コマンド４３ａに基づいて切換可能に対応付けられている。
【００４３】
さらに、ワイヤレスセンタ３は、ＢＳアンテナ１５ａに接続されるＢＳチューナ３３と、ＵＨＦ／ＶＨＦアンテナ１５ｂに接続されるＵ／ＶＨＦチューナ３１と、を有しており、第１記憶部（ＥＥＰＲＯＭ）４７を読み取り可能なワイヤレスセンタマイコン４１により選局コマンド３１ａに基づいて選局処理が行われる。この選局処理が行われた後の信号は、映像・音声復調器３５に入力されて復調され、音声切換部３７においてワイヤレスセンタマイコン４１からの音声切換コマンド３７ａに基づいて音声切換処理が行われる。映像信号と音声切換処理が行われた後の音声信号とは、第１ＡＶセレクタ４３に入力される。ここで、ワイヤレスセンタマイコン４１からの音声切換コマンド３７ａに基づいてソース選択処理が行われ、ＳＳ送受信ユニット４５に入力する。
【００４４】
ＳＳ送受信ユニット４５は、Ａ／Ｄ変換器５１と、ＭＰＥＧ２エンコーダ５３と、第１のＳＳ無線送受信エンジン５５と、これらを制御する第１のＳＳ―ＣＰＵ５７とを有している。ソース選択コマンド４３ａに基づくソース選択処理が行われた映像・音声信号は、Ａ／Ｄ変換器５１によりＡ／Ｄ変換され、例えばＭＰＥＧ２エンコーダ５３によりＭＰＥＧ２形式にエンコードされ、ワイヤレスセンタマイコン４１からのＴＶコマンド５７ａに基づいてＭＰＥＧ２形式にエンコードされたデータをバッテリー内蔵の液晶モニタ付きＴＶ５側に送るとともに、種々のコマンド（データ）をバッテリー内蔵の液晶モニタ付きＴＶ５との間で双方向に通信する。
【００４５】
液晶モニタ付きＴＶ５は、第２記憶部（ＥＥＰＲＯＭ）７３を読み取り可能なＴＶマイコン６５と、ＳＳ送受信ユニット６１と、第２ＡＶセレクタ６７と、ＴＶ部（液晶ディスプレイ）７１と、リモートコントロール装置（図７）の入力を受け付けるリモコン受光部７５と、を有している。ＳＳ送受信ユニット６１は、第２のＳＳ無線送受信エンジン７７と、ＭＰＥＧ２デコーダ８１と、Ｄ／Ａ変換器８３と、これらを制御する第２のＳＳ―ＣＰＵ８５とを有している。さらに、液晶モニタ付きＴＶ５は、バッテリー駆動に対応しており、それに応じてバッテリー８７ｂとバッテリーチャージャーマイコン８７ａとを有している。
【００４６】
ワイヤレスセンタ３側から送られＭＰＥＧ２形式にエンコードされているストリーミング情報は、ＴＶマイコン６５からのＴＶコマンド８５ａを受けた第２のＳＳ―ＣＰＵ８５の指示により、ＳＳ送受信ユニット６１内の第２のＳＳ無線送受信エンジン７７において受信され、ＭＰＥＧ２デコーダ８１においてデコードされ、Ｄ／Ａ変換器８３においてＤ／Ａ変換される。Ｄ／Ａ変換器されたＡＶ信号情報は、第２のＡＶセレクタ６７に送られ、外部入力（４）２１からの外部入力信号とのいずれを選択するかをＴＶマイコン６５からのソース選択コマンド６７ａに基づいて選択し、例えば、ＴＶマイコン６５からのＯＳＤ出力コマンド９３ａに基づいて任意のＯＳＤ処理が行われた後に、ＴＶ部７１に送られ、映像・音声信号情報に基づく表示が行われる。
【００４７】
上記のように、ＴＶマイコン６５は、内部にＯＳＤ発生機能部を有し、番組のチャンネル、時刻、音量などの情報をテレビ等の画面上に表示する。ＴＶ等の映像装置、テレビ会議システム等の電子機器では、番組のチャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、外部入力（４）２１に図示しないＤＶＤ等の画像再生装置やＣＡＴＶ用セットトップボックスを接続すれば、表示画面上に外部ソースからの再生画像や映像に重畳してＯＳＤ表示が可能である。なお、テレビ放送などの原画像とＯＳＤ表示との画像重畳処理は、ＯＳＤ合成部６９（図３）が行う。
【００４８】
送受信データ構成例について図４に示す。図４に示すように、本実施の形態によるテレビ受信・再生システムにおいてチューナ側とモニタ側との間でやり取りされる送受信データ１３１は、第１のＳＳ無線送受信エンジン５５と第２のＳＳ無線送受信エンジン７７との間で、アイソサイクル（isocycle）１３２によって規定された一定周期毎に送受信処理を行う。図４に示すように、送受信データパケットの構成は、ルート（Ｒ）であるワイヤレスセンタ３からリーフ（Ｌ）である液晶モニタ付きＴＶ５に送られるＲパケット１３３と、ギャップ１３４と、ギャップ１３４を挟んでリーフ（Ｌ）である液晶モニタ付きＴＶ５からルート（Ｒ）であるワイヤレスセンタ３に送られるＬパケット１３５とを有して構成されている。
【００４９】
Ｒパケット１３３は、ロングプリアンブル（１Ｍｂｐｓ）を使用する部分と、その他のデータ部分１４５〜１５３（１１ＭＨｚ）と、を含んでいる。ロングプリアンブル（１Ｍｂｐｓ）を使用する部分は、シンクロナスデータ１４１とＰＨＹヘッダデータ１４３とを含んでおり、１９２μｓの期間である。一方、その他のデータ部分は、ＭＡＣヘッダ１４５と、コントロールデータ（ＣＢ）１４７と、非同期データにより構成されるステイタスコマンドデータ１５１と、同期データ（アイソクロナスデータ）１５３とを有している。ステイタスコマンドデータ１５１は、ワイヤレスステーションからＴＶ本体側へ送られるステータス・コマンドを含むデータであり、以下に説明するスキップ情報を含む。同期データ１５３はＭＰＥＧ２の映像ストリームデータである。
【００５０】
上記Ｒパケット１３３に続き、１２０μｓのギャップ部（ＧＡＰ）１３４が設けられ、次いで、ＴＶ本体側からワイヤレスステーションに送られるＬパケット１３５が設けられている。Ｌパケット１３５は、Ｒパケット１３３と同様に、ロングプリアンブル（１Ｍｂｐｓ）を使用する部分１６１，１６３と、その他のデータ部分（１１ＭＨｚ）であって、ＭＡＣヘッダ部１６５、リトライタグ１６７と、非同期データ部１７１と、を含んでいる。非同期データ部１７１は、ＴＶ本体側からワイヤレスステーション側へ送られるステータス・コマンドを含むデータである。以上説明したデータが、全体として３.６ｍｓサイクルで送られている。
【００５１】
図５は、チャネル設定メニューの例を示す図である。図５に示すように、チャネル設定メニューは、オートプリセット（自動チューニング）と、マニュアルメモリーと、地域番号設定とを有している。マニュアルメモリーは、リモコン番号と、受信チャネル表示と、チャネル表示と、受信微調整と外部設定とスキップとを含んでいる。
【００５２】
図６は、リモートコントロール装置の構成例である。図６に示すように、リモートコントロール装置２００は、チャネル番号を入力するチャネル番号入力部２０１と、選択ボタン２０３と、アップダウン選局ボタン２０５と、電源スイッチ２０７と、を有している。チャネル番号入力部２０１は、ダイレクト選局ボタンを有しており、これによりチャネル番号により直接入力することができる。アップダウン選局ボタン２０５は、チャネル選局を１ずつ±で選局していくためのボタンである。選択ボタン２０３は、選択ボタン２０３ａと選択決定ボタン２０３ｂとを有している。
【００５３】
図７は、オートプリセットにより得られた表示画面におけるチャネル番号の構成例である。選択ボタン２０３（図６）によりオートプリセット実行を選択すると、オートプリセット処理が実行され、チャネル関係の表示画面においてオートプリセット中である旨の表示がされ、オートプリセット処理が完了すると、ダイレクト選局ボタンに対応した選局番号の順に左上から記憶されたチャネル番号の一覧２１３が表示される。図に示す例では、１から１２までのチャネルは同じ番号の選局番号１から１２までに記憶され、１３から６２チャネルは、受信されなかった空き番号に記憶される。リモコンにおける１チャネルの位置には１チャネルが、２チャネルの位置には１４チャネルが、３チャネルの位置には３チャネルが、４チャネルの位置には４チャネルが、５チャネルの位置には３８チャネルがというように、対応付けされている。これらの対応付けされた情報は、チャネル特定情報として、図３に示す第２記憶部（ＥＥＰＲＯＭ）７３に記憶される。
【００５４】
上記チャネル特定情報は、上記オートチャネルスキャンによって生成させても良いし、或いは、アップダウン選局のための入力操作に応じて生成される情報であって、局有り局無しのスキップ情報に基づいて作成しても良い。スキップ情報に基づいて作成する場合には、ワイヤレスステーション側の第１記憶部（ＥＥＰＲＯＭ）４７に逐次情報を蓄積しておき、ある程度スキップ情報が蓄積された時点で、ワイヤレスステーション側からＴＶ本体側に向けて一括してスキップ情報を送付し、ＴＶ本体側の第２記憶部（ＥＥＰＲＯＭ）７３に記憶させてれば良い。
【００５５】
以下に、チャネル特定情報の作成例について図８を参照し説明を行う。図８に示すシーケンス図は、ワイヤレスセンタ３のワイヤレスセンタマイコン４１およびＳＳ送受信ユニット４５と、ＴＶ本体５のＳＳ送受信ユニット６１およびＴＶマイコン６５との間の情報のやり取りを時系列的に示す図である。例えば、ＴＶマイコン６５がＴＶ本体３のＳＳ送受信ユニット６１とワイヤレスセンタ３のＳＳ送受信ユニット４５を介してワイヤレスセンタマイコン４１にオートスキャン要求を、要求コマンドを送信することにより行う（Ｓ１０１−Ｓ１０３−Ｓ１０５）。これに対して、ワイヤレスセンタマイコン４１は、ワイヤレスセンタ３のＳＳ送受信ユニット４５とＴＶ本体５のＳＳ送受信ユニット６１とを介してＴＶマイコン６５に、要求コマンドを受け取った旨の応答を返す（Ｓ１０７−Ｓ１１１、Ｓ１１５）。ＳＳ送受信ユニット６１からＴＶマイコン６５に対して送信処理応答も返信される（Ｓ１０４）。この間、ＴＶ本体５のＴＶマイコン６５においては、タイムアウト監視を行っている（Ｓ１１７ａ）。
【００５６】
ワイヤレスセンタマイコン４１においては、受けたオートスキャン要求の要求処理を行う（Ｓ１１８）。処理が実行されると、局有り、局無しのスキップ情報を含み、いずれのチャネルを設定したかに関するチャネル特定情報がＴＶマイコン６５に処理応答という形で伝達される（Ｓ１２１、Ｓ１２３、Ｓ１２５）。このチャネル特定情報は、ＴＶ本体５に設けられているＥＥＰＲＯＭ（第２記憶部）７３に格納される。リモートコントロール装置２００（図６）によりアップダウン選局が行われた場合には、アップダウン入力操作により選択されたチャネルを特定するために参照可能な情報であってＥＥＰＲＯＭ７３に記憶されたチャネル特定情報を参照して特定された選局チャネルを選局するためのダイレクト選局コマンドの形態でワイヤレスセンタユニット（チューナ部）３に送信する。
【００５７】
これにより、ＴＶ本体５においてチャネルのアップダウン選局キーを入力すると、それに応じてダイレクト選局コマンドに変換した後にワイヤレスセンタユニット３に送るため、すなわち、モニタ側でアップダウン選局ＫＥＹをデコードしてダイレクト選局コマンドに変換後にチューナ側へ送るため、ワイヤレスセンタユニット３においてアップダウン選局コマンドをダイレクト選局コマンドにデコードを行って変換する必要がない。それゆえ、コマンドのやり取りに関連するインターバルに依存する遅延時間を低減することができるため、ユーザのアップダウン選局のための入力に対するレスポンスが改善するという利点がある。例えば、上記テレビ受信・再生システム１によれば、従来のシステムと比較して、選局後に確定したチャンネルNo.をモニタに表示するまでの時間が１２０ｍｓ以上短縮される。
【００５８】
ここで、図１０は、テレビ受信・再生システム１の詳細な機能ブロック図である。同図を用いて、本発明のワイヤレスＡＶシステムをディスプレイ分離型のワイヤレスＴＶ受信機に適用した場合の機能構成について詳細に説明する。
【００５９】
図１０に示すように、テレビ受信・再生システム（ワイヤレスＡＶシステム）１は、ワイヤレスセンタ３と、ＴＶ本体（ＡＶ出力装置）５とからなる。上述したように、テレビ受信・再生システム１は、チューナ部を備えるワイヤレスセンタ３と、ＴＶ部（表示部）７１を備えるＴＶ本体５とが分離して設けられている。
【００６０】
ワイヤレスセンタ３は、チューナ部３０１、第１の送受信部３０３、第２チャネル特定情報記憶部３０５、第１制御部３０７を少なくとも備えて構成されている。
【００６１】
チューナ部３０１は、チャネル選択を行う。なお、チューナ部３０１は、ワイヤレスセンタマイコン４１（図２）により実現される。
【００６２】
第１の送受信部３０３は、チューナ部３０１により選局された放送情報とそれ以外のデータとの送受信を行う。第１の送受信部３０３は、ＴＶ本体５の第２の送受信部５０５へ放送情報を送信するとともに、第１の送受信部５０５との間でワイヤレスで双方向にデータ（コマンドを含む）の送受信を行う。なお、第１の送受信部３０３は、ＳＳ送受信ユニット４５（図２）によって実現され、その制御は第１のＳＳ−ＣＰＵ５７（図２）によって行われる。
【００６３】
第２チャネル特定情報記憶部３０５は、ＴＶ本体５からのチューナ部３０１に対する選局処理を促す入力操作に応じて生成されチャネルを特定するためのチャネル特定情報３０５ａを記憶する。なお、第２チャネル特定情報記憶部３０５は、ＥＥＰＲＯＭ４７（図２）によって実現される。
【００６４】
第１制御部３０７は、第２チャネル特定情報記憶部３０５に記憶されたチャネル特定情報３０５ａを一括してＴＶ本体５に送る制御を行う。なお、第１制御部３０７は、ワイヤレスセンタマイコン４１（図２）によって実現される。
【００６５】
ＴＶ本体５は、ＴＶ部７１、選局入力部５０３、第２の送受信部５０５、第１チャネル特定情報記憶部５０７、コマンド変換部５０９、第２制御部５１１を少なくとも備えて構成されている。
【００６６】
ＴＶ部７１は、放送情報に基づく、映像及び／又は音声の出力を行う。
【００６７】
選局入力部５０３は、ワイヤレスセンタ３のチューナ部３０１に対して選局処理を促すためのユーザによる入力操作を受け付ける。なお、選局入力部５０３は、ＴＶマイコン６５（図３）によって実現される。
【００６８】
第２の送受信部５０５は、ワイヤレスセンタ３から送られる放送情報を受信するとともに、ワイヤレスセンタ３との間でワイヤレスで双方向にデータ（コマンドを含む）の送受信を行う。なお、第２の送受信部５０５は、ＳＳ送受信ユニット６１（図３）によって実現され、その制御は第２のＳＳ−ＣＰＵ８５（図３）によって行われる。
【００６９】
第１チャネル特定情報記憶部５０７は、ユーザによる入力操作においてチャネルのアップダウン入力操作が行われた場合に、アップダウン入力操作により選択されたチャネルを特定するために参照可能なチャネル特定情報５０７ａを記憶する。ここで、第１チャネル特定情報５０７ａは、アップダウン入力操作により選択されたチャネルに局が登録されているか否かを現在の選局チャネルを基準にして示すスキップ情報であって、チャネルスキャンに基づいてワイヤレスセンタ３から取得した情報である。すなわち、チャネル特定情報５０７ａは、チャネル特定情報３０５ａのコピーである。なお、第１チャネル特定情報記憶部５０７は、ＥＥＰＲＯＭ７３（図３）によって実現される。
【００７０】
ここで、図１１は、チャネル特定情報３０５ａ，５０７ａのデータ構造の例を示す説明図である。同図に示すように、チャネル特定情報３０５ａ，５０７ａは、各チャンネルに、受信チャンネルデータ、チャンネル表示データ、受信微調整データ、外部設定データ、スキップデータ等が対応付けられて管理されている。
【００７１】
コマンド変換部５０９は、チャネル特定情報５０７ａを参照し、アップダウン入力操作をワイヤレスセンタ３のチューナ部３０１において直接選局を行わせるためのダイレクトコマンドに変換する。なお、コマンド変換部５０９は、ＴＶマイコン６５（図３）によって実現される。
【００７２】
第２制御部５１１は、ユーザによる入力操作においてチャネルのアップダウン入力操作を行った場合に、第１チャネル特定情報記憶部５０７に記憶されているチャネル特定情報５０７ａを参照してアップダウン入力操作により特定されたチャネルを直接選局するためのダイレクト選局コマンドを生成しワイヤレスセンタ３に送る制御を行う。なお、第２制御部５１１は、ＴＶマイコン６５（図３）によって実現される。
【００７３】
次に、上記構成によるテレビ受信・再生システム１において、ワイヤレスセンタ３とＴＶ本体５との間における選局方法について説明する。
【００７４】
まず、ＴＶ本体５の選局入力部５０３が取得した入力操作に基づいて、ワイヤレスセンタ３のチューナ部３０１が選局を行う。次に、第１制御部３０７がチューナ部３０１の選局結果に基づいて各チャネルに局が登録されているか否かに関するスキップ情報を含むチャネル特定（設定）情報３０５ａを収集し、該チャネル特定情報３０５ａをＴＶ本体５にワイヤレスで送信する。そして、第２制御部５１１が受信したチャネル特定情報３０５ａを第１チャネル特定情報記憶部５０７にチャネル特定情報５０７ａとして記憶する。
【００７５】
次に、選局入力部５０３におけるアップダウン選局操作に応じて、コマンド変換部５０９が、第１チャネル特定情報記憶部５０７に記憶されているチャネル特定情報５０７ａを参照することにより特定されたチャネルを検索し、該特定されたチャネルを選局するためのダイレクト選局コマンドを生成し、そのダイレクト選局コマンドを第２の送受信部５０５がワイヤレスセンタ３にワイヤレスで送る。
【００７６】
なお、チャネル特定情報３０５ａは、第１制御部３０７が一括してＴＶ本体５に送信してもよい。
【００７７】
次に、図１２を参照しながら、上記構成によるテレビ受信・再生システム１において、チャンネル変更があった場合のダイレクト選局コマンド作成、送信、チャンネル変更等の一連の処理の手順を説明する。
【００７８】
まず、ＴＶ本体５の選局入力部５０３がユーザが入力した選局ＫＥＹを取得する（Ｓ５１）。次に、コマンド変換部５０９が、入力された選局ＫＥＹがチャネルアップ／チャネルダウンであるのか、チャネルNo.が直接入力されたのかを判別する（Ｓ５３）。このとき、選局ＫＥＹがチャネルアップ／チャネルダウンであれば（Ｓ５３でＹＥＳ）、それぞれに応じて、現在のチャネルNo.を１だけ加算／減算させたチャネルNo.に放送局が割り当てられているか否かを示す情報（放送有無情報）を、チャネル特定情報５０７ａを参照することにより取得する（Ｓ５５）。そして、放送有無情報に基づいて、放送有りチャネルが見つかるまで、ステップ５５の処理を繰り返す（Ｓ５７）。そして、放送有りチャネルが見つかると（Ｓ５７でＹＥＳ）、その演算した放送有りチャネルNo.を、ダイレクト選局No.に設定する（Ｓ５９）。一方、ステップＳ５１において、ユーザによってチャネルNo.が直接入力された場合（Ｓ５３でＮＯ）、入力されたチャネルNo.をダイレクト選局No.に設定する（Ｓ６１）。
【００７９】
次に、第２制御部５１１が、ダイレクト選局No.をワイヤレスセンタ３にコマンド送信する（Ｓ６３）。
【００８０】
次に、ワイヤレスセンタ２では、ＴＶ本体５より受信したダイレクト選局No.に基づいて、チューナ部３０１が、デコードし、選局動作を行う（Ｓ３３）。そして、選局したチャネルNo.をＴＶ本体５へコマンド送信する（Ｓ３５）。
【００８１】
次に、ＴＶ本体５では、ＴＶ本体５より受信したチャネルNo.をＴＶ部７１に表示する（Ｓ６５）。
【００８２】
例えば、上記ステップＳ５５において、現在の選局チャネルが10chのときに、チャンネルアップＫＥＹが入力された場合、コマンド変換部５０９は、チャンルNo.を１加算しながら放送有無情報に基づいて放送局有りチャンネルNo.を決定する。そして、そのチャンネルNo.を選局するダイレクトチャンネルＫＥＹに変換し、チューナ部３０１へ送信する。このように、ＴＶ本体５は、チューナ部３０１で実施したチューニング情報を有しており、チャンネルNo.に対して放送局が割り当てられているか否かを判定できるようになっている。
【００８３】
上記構成によるテレビ受信・再生システム１においては、チューナがワイヤレスセンタ３に、表示部がＴＶ本体５に分離されて配置され無線により通信可能に接続されているシステムにおいて、ＴＶ本体５においてチャネルのアップダウン選局キーを入力すると、それに応じてダイレクト選局コマンドに変換した後にチューナに送るため、チューナにおいてコマンドのデコードを行う必要がなく、コマンドのやり取りに関連するインターバルに依存する遅延時間を低減することができ、ユーザのアップダウン選局のための入力に対するレスポンスが改善するという利点がある。
【００８４】
以上、本発明に関して実施の形態に沿って説明を行ったが、本発明はこれらの例に限定されるものではなく、種々の変形が可能であるのは言うまでもない。テレビ受信・再生システムを例にして説明したが、パーソナルコンピュータやＤＶＤシステムなどの他のＡＶシステムにも適用可能である。ワイヤレスにより通信可能に接続されたＡＶ機器に対して適用した例に基づいて説明したが有線などによりネットワーク化されたＡＶ機器にも適用できるのは言うまでもない。
【００８５】
また、以上説明したテレビ受信・再生システム１の各装置の機能ブロック（図１０）は、ハードウェアロジックによって構成してもよいし、次のようにＣＰＵを用いてソフトウェアによって実現してもよい。
【００８６】
すなわち、ワイヤレスセンタ３およびＴＶ本体５は、各機能を実現する制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるワイヤレスセンタ３および／またはＴＶ本体５の制御プログラムのプログラムコード（実行形式プログラム、中間コードプログラム、ソースプログラム）をコンピュータで読み取り可能に記録した記録媒体を、上記の各装置に供給し、そのコンピュータ（またはＣＰＵやＭＰＵ）が記録媒体に記録されているプログラムコードを読み出し実行することによっても、達成可能である。なお、記録媒体に格納されている内容としてはプログラムに限定されず、データであってもよい。
【００８７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８８】
また、ワイヤレスセンタ３および／またはＴＶ本体５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【００８９】
なお、本実施の形態は本発明の範囲を限定するものではなく、本発明の範囲内で種々の変更が可能であり、例えば、以下のように構成することができる。
【００９０】
本発明のワイヤレスＡＶシステムは、チャネル選択を行うチューナ部と、該チューナ部により選局された放送情報とそれ以外のデータとの送受信を行う第１の送受信部と、を有するワイヤレスセンタと、表示部と、前記チューナ部に対して選局処理を促すための入力操作を受け付ける選局入力部と、前記放送情報を受信するとともに前記第１の送受信部との間をワイヤレスでデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有する構成であってもよい。
【００９１】
さらに、本発明のワイヤレスＡＶシステムは、前記ＡＶ出力装置は、さらに、前記チャネル特定情報を参照し、前記アップダウン入力操作を前記チューナ部において直接選局を行わせるためのダイレクトコマンドに変換するコマンド変換部を有していてもよい。
【００９２】
さらに、本発明のワイヤレスＡＶシステムは、前記第１チャネル特定情報は、前記アップダウン入力操作により選択されたチャネルに局が登録されているか否かを現在の選局チャネルを基準にして示すスキップ情報であって、チャネルスキャンに基づいて前記ワイヤレスセンタから取得した情報であってもよい。
【００９３】
また、本発明のワイヤレスセンタは、チャネル選択を行うチューナ部と、該チューナ部により選局された放送情報とそれ以外のデータとの送受信をワイヤレスで行う第１の送受信部と、を有するワイヤレスセンタであって、該ワイヤレスセンタとは分離して設けられ前記チューナ部により選局された放送情報を表示する表示部を含むＡＶ出力装置からの前記チューナ部に対する選局処理を促す入力操作に応じて生成されチャネルを特定するためのチャネル特定情報を記憶する第２チャネル特定情報記憶部を有していてもよい。
【００９４】
さらに、本発明のワイヤレスセンタは、前記第２チャネル特定情報記憶部に記憶された前記チャネル特定情報を一括して前記ＡＶ出力装置に送る制御を行う第１制御部を有していてもよい。
【００９５】
また、本発明のＡＶ出力装置は、表示部と、該表示部とは分離されて設けられたワイヤレスセンタのチューナ部に対して選局処理を促すための入力操作を受け付ける選局入力部と、前記ワイヤレスセンタから送られる放送情報を受信するとともに前記ワイヤレスセンタとの間でワイヤレスでデータの送受信が可能な送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有していてもよい。
【００９６】
さらに、本発明のＡＶ出力装置は、前記入力操作においてチャネルのアップダウン入力操作を行った場合に、前記第１チャネル特定情報記憶部に記憶されているチャネル特定情報を参照して前記アップダウン入力操作により特定されたチャネルを直接選局するためのダイレクト選局コマンドを生成し前記ワイヤレスセンタに送る制御を行う第２制御部を有していてもよい。
【００９７】
また、本発明の選局方法は、チャネル選択を行うチューナ部を有するワイヤレスセンタと；表示部と、前記チューナ部に対して選局処理を促すための入力操作を受け付ける選局入力部と、記憶部と、を有するＡＶ出力装置と；の間における選局方法であって、前記入力操作に基づいて、前記チューナ部が選局を行うステップと、前記チューナ部の選局結果に基づいて各チャネルに局が登録されているか否かに関するスキップ情報を含むチャネル設定情報を収集し、該チャネル設定情報を前記ＡＶ出力装置にワイヤレスで送るステップと、送られた前記チャネル設定情報を前記記憶部に記憶し、前記選局入力部におけるアップダウン選局操作に応じて、前記記憶部に記憶されている前記チャネル設定情報を参照することにより特定されたチャネルを検索し、特定されたチャネルを選局するためのダイレクト選局コマンドを生成し前記ワイヤレスセンタ側にワイヤレスで送るステップと、を有する方法であってもよい。
【００９８】
また、本発明の選局方法は、チャネル選択を行うチューナ部を有するワイヤレスセンタとワイヤレスにより通信可能に接続され、表示部と、前記チューナ部に対して選局処理を促すための入力操作を受け付ける選局入力部と、記憶部と、を有するＡＶ出力装置におけるチャネル選局方法であって、前記入力操作に基づいて、前記チューナ部に選局を行わせるステップと、前記チューナ部の選局結果に基づいて得られた各チャネルに局が登録されているか否かに関するスキップ情報を含むチャネル設定情報を取得して前記記憶部に記憶するステップと、前記選局入力部におけるアップダウン選局操作に応じて、前記記憶部に記憶されている前記チャネル設定情報を参照して特定されるチャネルを検索し、特定された前記チャネルを選局するためのダイレクト選局コマンドを生成し前記ワイヤレスセンタ側にワイヤレスで送るステップと、を有する方法であってもよい。
【００９９】
また、本発明の選局データ生成方法は、表示部と、選局処理を促すための入力操作を受け付ける選局入力部と、記憶部と、を有するＡＶ出力装置と無線により通信可能に接続され、選局処理を行うチューナ部を有するワイヤレスセンタにおける選局データ生成方法であって、前記入力操作に基づいて、前記チューナ部に選局を行わせるステップと、前記チューナ部の選局結果に基づいて各チャネルに局が登録されているか否かに関するスキップ情報を含むチャネル設定情報を収集し、該チャネル設定情報を一括して前記ＡＶ出力装置側にワイヤレスで送るステップと、を有する方法であってもよい。
【０１００】
また、本発明のＡＶシステムは、チャネル選択を行うチューナ部と、該チューナ部により選局された放送情報とそれ以外のデータとの送受信を行う第１の送受信部と、を有するチューナ装置と、前記チューナ装置と分離可能に形成され、表示部と、前記チューナ部に対して選局処理を促すための入力操作を受け付ける選局入力部と、前記放送情報を受信するとともに前記第１の送受信部との間でデータの送受信が可能な第２の送受信部と、前記入力操作においてチャネルのアップダウン入力操作が行われた場合に、前記アップダウン入力操作により選択されたチャネルを特定するために参照可能なチャネル特定情報を記憶する第１チャネル特定情報記憶部と、を有するＡＶ出力装置と、を有していてもよい。
【産業上の利用可能性】
【０１０１】
本発明のワイヤレスＡＶシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System）（登録商標）や携帯情報端末（ＰＤＡ（Personal Digital Assistants））、ＴＶ受信機能を内臓したパソコンモニターなどの無線通信機器に広く適用可能である。特に、好適な映像ソースとしては、インターネットを用いたテレビ番組放送やデータ放送、モバイルテレビや携帯電話によるテレビ受信、ＬＡＮスポットを使用した番組受信等がある。
【図面の簡単な説明】
【０１０２】
【図１】本実施の形態によるテレビ受信・再生システムの構成例を示す図である。
【図２】本実施の形態によるテレビ受信・再生システムにおけるチューナ側（ワイヤレスセンタ側）装置の構成例を示す機能ブロック図である。
【図３】本実施の形態によるテレビ受信・再生システムにおけるモニタ側（ＴＶ側）装置の構成例を示す機能ブロック図である。
【図４】本実施の形態によるテレビ受信・再生システムにおいてチューナ側とモニタ側との間でやりとりされるデータ構成例を示す図である。
【図５】チャネル設定メニューの例を示す図である。
【図６】リモートコントロール装置の構成例である。
【図７】オートプリセットにより得られたスキップ情報の構成例である。
【図８】本実施の形態によるテレビ受信・再生システムにおけるチューナ側とモニタ側との間の双方向通信のシーケンス例を示す図である。
【図９】本実施の形態によるテレビ受信・再生システムの概略を示した説明図である。
【図１０】本実施の形態によるテレビ受信・再生システムにおけるチューナ側とモニタ側の構成例を示す機能ブロック図である。
【図１１】本実施の形態によるテレビ受信・再生システムにおけるチューナ側およびモニタ側で管理されるチャネル特定情報テーブルのデータ構造の一例を示す説明図である。
【図１２】本実施の形態によるテレビ受信・再生システムにおいて、チャンネル変更があった場合のダイレクト選局コマンド作成、送信、チャンネル変更等の一連の処理を示すフローチャートである。
【符号の説明】
【０１０３】
１    テレビ受信・再生システム（ワイヤレスＡＶシステム、ＡＶシステム）
３    ワイヤレスセンタ（チューナ装置）
５    ＴＶ本体ユニット（ＡＶ出力装置）
７ａ  ビデオ１入力（Ｓ端子付き）端子
７ｂ  ビデオ２入力（デコーダ入力）端子
７ｃ  ビデオ３入力（モニタ／ＢＳ出力）端子
１１ａ  ＡＣ電源端子
１１ｂ  Ｃａｒ−ＤＣ端子
１５ａ  ＢＳアンテナ
１５ｂ  ＵＨＦ／ＶＨＦアンテナ
１５ｃ  ダイバーシティーアンテナ
２３ａ  ＡＣ電源端子
２３ｂ  Ｃａｒ−ＤＣ端子
２７    ビデオ４入力（ＴＶ出力）端子
３１    Ｕ／ＶＨＦチューナ
３３    ＢＳチューナ
３５    映像・音声復調器
３７    音声切換部
４１    ワイヤレスセンタマイコン
４３    第１ＡＶセレクタ
４５    ＳＳ送受信ユニット（無線送受信ユニット）
４７    第１記憶部（ＥＥＰＲＯＭ）
５１    Ａ／Ｄ変換器
５３    ＭＰＥＧ２エンコーダ
５５    第１のＳＳ無線送受信エンジン
５７    第１のＳＳ―ＣＰＵ
６１    ＳＳ送受信ユニット
６５    ＴＶマイコン
６７    第２ＡＶセレクタ
７１    ＴＶ部（液晶ディスプレイ）
７３    第２記憶部（ＥＥＰＲＯＭ）
７５    リモコン受光部
７７    第２のＳＳ無線送受信エンジン
８１    ＭＰＥＧ２エンコーダ、
８３    Ｄ／Ａ変換器
８５    第２のＳＳ―ＣＰＵ
３０１  チューナ部
３０３  第１の送受信部
３０５  第２チャネル特定情報記憶部
３０５ａ  チャネル特定情報
３０７  第１制御部
５０１  表示部
５０３  選局入力部
５０５  第２の送受信部
５０７  第１チャネル特定情報記憶部
５０７ａ  チャネル特定情報
５０９  コマンド変換部
５１１  第２制御部
【図１】
0003690606.tif 000002
【図２】
0003690606.tif 000003
【図３】
0003690606.tif 000004
【図４】
0003690606.tif 000005
【図５】
0003690606.tif 000006
【図６】
0003690606.tif 000007
【図７】
0003690606.tif 000008
【図８】
0003690606.tif 000009
【図９】
0003690606.tif 000010
【図１０】
0003690606.tif 000011
【図１１】
0003690606.tif 000012
【図１２】
0003690606.tif 000013